(57)【特許請求の範囲】
【請求項１】
時刻を表す時刻情報を生成する生成部と、
複数のパケットで構成される入力ストリームを分割して、チャネルごとの分割ストリームを生成する分割部と
を備え、
前記チャネルは、複数存在し、
前記分割ストリームは、FEC(Forward Error Correction)の対象となるBBF(Base Band Frame)のデータフィールドに前記入力ストリームの前記パケットが連続する順番で配置されたBBFを最小単位として構成され、
前記分割ストリームを構成する前記BBFのBBヘッダは、前記BBFに配置される先頭のパケットの前記時刻情報を含む
データ処理装置。
【請求項２】
前記時刻情報は、DVB-S2に規定するISSY(Input Stream Synchroniser)であり、
DVB-S2に規定する前記BBFのBBヘッダのUPLフィールド及びSYNCフィールドを、前記ISSYを配置するフィールドとして用いる
請求項１に記載のデータ処理装置。
【請求項３】
前記分割部は、
前記パケットごとに、前記時刻情報を付加し、
前記BBFに配置される前記パケットの前記時刻情報を削除するとともに、前記BBFに配置される先頭のパケットの前記時刻情報を、前記BBFの前記BBヘッダに含める
請求項２に記載のデータ処理装置。
【請求項４】
前記分割部は、
前記入力ストリームを、前記BBFに配置されるBBF用データの単位で、前記分割ストリームに分割し、
前記分割ストリームのBBF用データが配置された前記BBFを生成する
請求項１ないし３のいずれかに記載のデータ処理装置。
【請求項５】
前記分割部は、
前記入力ストリームから、前記BBFを生成し、
前記入力ストリームを、前記BBFの単位で、前記分割ストリームに分割する
請求項１ないし３のいずれかに記載のデータ処理装置。
【請求項６】
前記入力ストリームは、TS(Transport Stream)，GCS(Generic Continuous Stream)，GSE(Generic Stream Encapsulation)パケットのストリーム、GSE-Liteパケットのストリーム、又は、IP(Internet Protocol)パケットのストリームである
請求項１ないし５のいずれかに記載のデータ処理装置。
【請求項７】
データ処理装置が、
時刻を表す時刻情報を生成し、
複数のパケットで構成される入力ストリームを分割して、チャネルごとの分割ストリームを生成する
ステップを含み、
前記チャネルは、複数存在し、
前記分割ストリームは、FEC(Forward Error Correction)の対象となるBBF(Base Band Frame)のデータフィールドに前記入力ストリームの前記パケットが連続する順番で配置されたBBFを最小単位として構成され、
前記分割ストリームを構成する前記BBFのBBヘッダは、前記BBFに配置される先頭のパケットの前記時刻情報を含む
データ処理方法。
【請求項８】
時刻を表す時刻情報を生成する生成部と、
複数のパケットで構成される入力ストリームを分割して、チャネルごとの分割ストリームを生成する分割部と
を備え、
前記チャネルは、複数存在し、
前記分割ストリームは、FEC(Forward Error Correction)の対象となるBBF(Base Band Frame)のデータフィールドに前記入力ストリームの前記パケットが連続する順番で配置されたBBFを最小単位として構成され、
前記分割ストリームを構成する前記BBFのBBヘッダは、前記BBFに配置される先頭のパケットの前記時刻情報を含む
送信装置から送信されてくる前記チャネルごとの前記分割ストリームから、前記BBヘッダに含まれる前記時刻情報に基づいて、前記入力ストリームを再構成する再構成部を備える
データ処理装置。
【請求項９】
前記時刻情報は、DVB-S2に規定するISSY(Input Stream Synchroniser)であり、
DVB-S2に規定する前記BBFのBBヘッダのUPLフィールド及びSYNCフィールドが、前記ISSYを配置するフィールドとして用いられる
請求項８に記載のデータ処理装置。
【請求項１０】
前記入力ストリームは、TS(Transport Stream)，GCS(Generic Continuous Stream)，GSE(Generic Stream Encapsulation)パケットのストリーム、GSE-Liteパケットのストリーム、又は、IP(Internet Protocol)パケットのストリームである
請求項８又は９に記載のデータ処理装置。
【請求項１１】
時刻を表す時刻情報を生成する生成部と、
複数のパケットで構成される入力ストリームを分割して、チャネルごとの分割ストリームを生成する分割部と
を備え、
前記チャネルは、複数存在し、
前記分割ストリームは、FEC(Forward Error Correction)の対象となるBBF(Base Band Frame)のデータフィールドに前記入力ストリームの前記パケットが連続する順番で配置されたBBFを最小単位として構成され、
前記分割ストリームを構成する前記BBFのBBヘッダは、前記BBFに配置される先頭のパケットの前記時刻情報を含む
送信装置から送信されてくる前記チャネルごとの前記分割ストリームを受信するデータ処理装置が、
受信された前記チャネルごとの前記分割ストリームから、前記BBヘッダに含まれる前記時刻情報に基づいて、前記入力ストリームを再構成する
ステップを含むデータ処理方法。
【発明の詳細な説明】
【技術分野】
【０００１】
本技術は、データ処理装置、及び、データ処理方法に関し、特に、例えば、ストリームを適切に処理することができるようにするデータ処理装置、及び、データ処理方法に関する。
【背景技術】
【０００２】
ディジタル放送の放送方式としては、例えば、欧州等で採用されているDVB(Digital Video Broadcasting)-S2等がある（非特許文献１）。
【先行技術文献】
【非特許文献】
【０００３】
【非特許文献１】DVB-S.2 : ETSI EN 302 307 V1.2.1 (2009-08)
【発明の概要】
【発明が解決しようとする課題】
【０００４】
ディジタル放送において、高データレートのストリームを伝送する技術の１つとして、送信側において、高データレートのストリームを、複数チャネルのストリームに分割して伝送し、受信側において、複数チャネルのストリームを、元の高データレートのストリームに再構成するCB(Channel Bonding)技術がある。【０００５】
しかしながら、DVB-S2等のディジタル放送において、CB技術を採用しても、ストリームを適切に処理することができないおそれがある。【０００６】
本技術は、このような状況に鑑みてなされたものであり、ストリームを適切に処理することができるようにするものである。
【課題を解決するための手段】
【０００７】
本技術の第１のデータ処理装置は、時刻を表す時刻情報を生成する生成部と、複数のパケットで構成される入力ストリームを分割して、チャネルごとの分割ストリームを生成する分割部とを備え、前記チャネルは、複数存在し、前記分割ストリームは、FEC(Forward Error Correction)の対象となるBBF(Base Band Frame)のデータフィールドに前記入力ストリームの前記パケットが連続する順番で配置されたBBFを最小単位として構成され、前記分割ストリームを構成する前記BBFのBBヘッダは、前記BBFに配置される先頭のパケットの前記時刻情報を含むデータ処理装置である。
【０００８】
本技術の第１のデータ処理方法は、データ処理装置が、時刻を表す時刻情報を生成し、複数のパケットで構成される入力ストリームを分割して、チャネルごとの分割ストリームを生成するステップを含み、前記チャネルは、複数存在し、前記分割ストリームは、FEC(Forward Error Correction)の対象となるBBF(Base Band Frame)のデータフィールドに前記入力ストリームの前記パケットが連続する順番で配置されたBBFを最小単位として構成され、前記分割ストリームを構成する前記BBFのBBヘッダは、前記BBFに配置される先頭のパケットの前記時刻情報を含むデータ処理方法である。
【０００９】
本技術の第１のデータ処理装置、及び、データ処理方法においては、時刻を表す時刻情報が生成され、複数のパケットで構成される入力ストリームが分割され、チャネルごとの分割ストリームが生成される。また、前記チャネルは、複数存在し、前記分割ストリームは、FEC(Forward Error Correction)の対象となるBBF(Base Band Frame)のデータフィールドに前記入力ストリームの前記パケットが連続する順番で配置されたBBFを最小単位として構成され、前記分割ストリームを構成する前記BBFのBBヘッダは、前記BBFに配置される先頭のパケットの前記時刻情報を含むことができる。
【００１０】
本技術の第２のデータ処理装置は、時刻を表す時刻情報を生成する生成部と、複数のパケットで構成される入力ストリームを分割して、チャネルごとの分割ストリームを生成する分割部とを備え、前記チャネルは、複数存在し、前記分割ストリームは、FEC(Forward Error Correction)の対象となるBBF(Base Band Frame)のデータフィールドに前記入力ストリームの前記パケットが連続する順番で配置されたBBFを最小単位として構成され、前記分割ストリームを構成する前記BBFのBBヘッダは、前記BBFに配置される先頭のパケットの前記時刻情報を含む送信装置から送信されてくる前記チャネルごとの前記分割ストリームから、前記BBヘッダに含まれる前記時刻情報に基づいて、前記入力ストリームを再構成する再構成部を備えるデータ処理装置である。
【００１１】
本技術の第２のデータ処理方法は、時刻を表す時刻情報を生成する生成部と、複数のパケットで構成される入力ストリームを分割して、チャネルごとの分割ストリームを生成する分割部とを備え、前記チャネルは、複数存在し、前記分割ストリームは、FEC(Forward Error Correction)の対象となるBBF(Base Band Frame)のデータフィールドに前記入力ストリームの前記パケットが連続する順番で配置されたBBFを最小単位として構成され、前記分割ストリームを構成する前記BBFのBBヘッダは、前記BBFに配置される先頭のパケットの前記時刻情報を含む送信装置から送信されてくる前記チャネルごとの前記分割ストリームを受信するデータ処理装置が、受信された前記チャネルごとの前記分割ストリームから、前記BBヘッダに含まれる前記時刻情報に基づいて、前記入力ストリームを再構成するステップを含むデータ処理方法である。
【００１２】
本技術の第２のデータ処理装置、及び、データ処理方法においては、チャネルごとの分割ストリームから、BBヘッダに含まれる時刻情報に基づいて、入力ストリームが再構成される。また、前記チャネルは、複数存在し、前記分割ストリームは、FEC(Forward Error Correction)の対象となるBBF(Base Band Frame)のデータフィールドに前記入力ストリームの前記パケットが連続する順番で配置されたBBFを最小単位として構成され、前記分割ストリームを構成する前記BBFのBBヘッダは、前記BBFに配置される先頭のパケットの前記時刻情報を含むことができる。
【００１３】
なお、データ処理装置は、独立した装置であっても良いし、１つの装置を構成している内部ブロックであっても良い。
【発明の効果】
【００１４】
本技術によれば、ストリームを適切に処理することができる。【００１５】
なお、ここに記載された効果は必ずしも限定されるものではなく、本開示中に記載されたいずれかの効果であってもよい。
【図面の簡単な説明】
【００１６】
【図１】本技術を適用した伝送システムの一実施の形態の構成例を示すブロック図である。
【図２】伝送システムの処理の例を説明するフローチャートである。
【図３】CB分割部１１の第１の構成例を示すブロック図である。
【図４】CB分割部１１の処理（送信処理）の例を説明するフローチャートである。
【図５】CB分割部１１の第２の構成例を示すブロック図である。
【図６】CB分割部１１の処理（送信処理）の例を説明するフローチャートである。
【図７】CB再構成部２１の構成例を示すブロック図である。
【図８】CB再構成部２１の処理（受信処理）の例を説明するフローチャートである。
【図９】チャネルch#1及びch#2の分割ストリームと、出力ストリームとの例を示す図である。
【図１０】チャネルch#1及びch#2の分割ストリームと、出力ストリームとの例を示す図である。
【図１１】DVB-S2に規定されているISSYのフォーマットを示す図である。
【図１２】DVB-S2のBBFのフォーマットを示す図である。
【図１３】入力ストリームがGSEパケット又はGSE-Liteパケットのストリームである旨を報知するシグナリングの例を説明する図である。
【図１４】本技術を適用したコンピュータの一実施の形態の構成例を示すブロック図である。
【図１５】DVB-S2Xの規格のTable 1を示す図である。
【図１６】DVB-S2Xの規格のTable 2を示す図である。
【図１７】DVB-S2Xの規格のFigure 1を示す図である。
【図１８】DVB-S2Xの規格のFigure 3を示す図である。
【図１９】DVB-S2Xの規格のFigure 4を示す図である。
【発明を実施するための形態】
【００１７】
＜本技術を適用した伝送システムの一実施の形態＞
【００１８】
図１は、本技術を適用した伝送システムの一実施の形態の構成例を示すブロック図である。
【００１９】
図１において、伝送システムは、送信装置１０と受信装置２０とから構成される。
【００２０】
送信装置１０は、例えば、テレビジョン放送の番組等の送信（ディジタル放送）（データ伝送）を行う。すなわち、送信装置１０は、例えば、番組としての画像データや音声データ等の、送信の対象である対象データのストリームである入力ストリームを、CB技術により、複数チャネルのストリームに分割し、例えば、衛星回線や、地上波、ケーブル（有線回線）等の伝送路３０を介して送信（伝送）する。
【００２１】
すなわち、送信装置１０は、CB分割部１１を有し、CB分割部１１には、入力ストリームが供給される。
【００２２】
ここで、入力ストリームとしては、例えば、TS(Transport Stream)や、GCS(Generic Continuous Stream)、GSE(Generic Stream Encapsulation)パケットのストリーム、GSE-Liteパケットのストリーム、IP(Internet Protocol)パケットのストリーム、その他の複数のパケット(UP(User Packet))で構成される任意のストリームを採用することができる。
【００２３】
CB分割部１１は、そこに供給される入力ストリームを分割し、FEC(Forward Error Correction)の対象となるBBF(Base Band Frame)のデータフィールドに入力ストリームのパケットが連続する順番で配置されたBBFを最小単位とするN個のチャネル（複数のチャネル）ch#1，ch#2，・・・，ch#Nの分割ストリームを生成する。
【００２４】
CB分割部１１は、各チャネルch#nの分割ストリームに対して、FECとしての誤り訂正符号化や変調等の処理を施し、その結果得られる各チャネルch#nのチャネルストリームs#nを、伝送路３０を介して送信する。
【００２５】
例えば、伝送システムが、DVB-S2に準拠したシステムである場合、伝送路３０は、衛星回線であり、チャネルストリームs#nは、衛星回線である伝送路３０を介して送信される。
【００２６】
受信装置２０は、送信装置１０から伝送路３０を介して送信されてくる複数チャネルのストリームを受信し、元の入力ストリームを再構成して出力する。
【００２７】
すなわち、受信装置２０は、CB再構成部２１を有し、CB再構成部２１は、送信装置１０からの各チャネルch#nのチャネルストリームs#nを受信する。
【００２８】
さらに、CB再構成部２１は、各チャネルch#nのチャネルストリームs#nに対して復調やFECとしての誤り訂正復号等の処理を施し、その結果得られる各チャネルch#nの分割ストリームから、元の入力ストリームを再構成して、出力ストリームとして出力する。
【００２９】
図２は、図１の送信装置１０で行われる処理（送信処理）、及び、受信装置２０で行われる処理（受信処理）の例を説明するフローチャートである。
【００３０】
送信処理では、ステップＳ１１において、送信装置１０のCB分割部１１は、そこに供給される入力ストリームを分割し、FECの対象となるBBFのデータフィールドに入力ストリームのパケットが連続する順番で配置されたBBFを最小単位とするN個のチャネルch#1ないしch#Nの分割ストリームを生成して、処理は、ステップＳ１２に進む。
【００３１】
ステップＳ１２では、CB分割部１１は、各チャネルch#nの分割ストリームに対して、誤り訂正符号化や変調等の処理を施すことで、各チャネルch#nのチャネルストリームs#nを生成する。
【００３２】
そして、CB分割部１１は、各チャネルch#nのチャネルストリームs#nを、伝送路３０を介して送信する。
【００３３】
一方、受信処理では、ステップＳ２１において、受信装置２０のCB再構成部２１が、送信装置１０からの各チャネルch#nのチャネルストリームs#nを受信する。さらに、CB再構成部２１は、各チャネルch#nのチャネルストリームs#nに対して復調や誤り訂正復号等の処理を施すことで、各チャネルch#nの分割ストリームを復元し、処理は、ステップＳ２２に進む。
【００３４】
ステップＳ２２では、CB再構成部２１は、チャネルch#1ないしch#Nの分割ストリームから、元の入力ストリームを再構成し、出力ストリームとして出力する。
【００３５】
＜送信装置１０のCB分割部１１の第１の構成例＞
【００３６】
図３は、図１の送信装置１０のCB分割部１１の第１の構成例を示すブロック図である。
【００３７】
図３において、CB分割部１１は、スプリッタ４１、N個のバッファ４２１ないし４２Ｎ、N個の変調部４３１ないし４３Ｎ、シンボルクロック生成部４６、及び、時刻関連情報生成部４７を有する。
【００３８】
CB分割部１１には、例えば、複数のTSパケット#1,#2,・・・,#Mから構成される高データレート（例えば、100Mbps(Mega bit per second)等）のTSや、複数のGSE-Liteパケット#1,#2,・・・,#Mから構成される高データレートのストリーム等が、入力ストリームとして供給される。CB分割部１１は、CB技術により、入力ストリームを、複数チャネルとしてのN個（以下）のチャネルの分割ストリームに分割して送信する。
【００３９】
スプリッタ４１には、入力ストリームが供給される。スプリッタ４１は、そこに供給される入力ストリームを受信し、N個（以下）のチャネルch#1ないしch#Nの分割ストリームに分割する。
【００４０】
ここで、後述するBBF(Base Band Frame)は、FECの対象となる固定長の単位であり、BBヘッダとデータフィールドとを有する。いま、BBFのデータフィールドのデータ量のデータ、すなわち、BBFのデータフィールドに配置されるデータを、BBF用データということとすると、スプリッタ４１は、入力ストリームのパケットから、BBF用データのデータ量だけ連続するパケット（のデータ）を、BBF用データとして抽出（選択）し、N個のチャネルch#1ないしch#Nのうちの、ある１のチャネルch#nに分配する。
【００４１】
さらに、スプリッタ４１は、入力ストリームの、続くパケット（のデータ）から、BBF用データのデータ量だけ連続するパケットを、BBF用データとして抽出し、N個のチャネルch#1ないしch#Nのうちの、前回と同一のチャネルch#n、又は、異なるチャネルch#n'に分配し、以下、同様に、入力ストリームを、BBF用データの単位で分配すること繰り返すことにより、入力ストリームから、BBF用データを最小単位とするN個のチャネルch#1ないしch#Nの分割ストリームを生成する。
【００４２】
そして、スプリッタ４１は、チャネルch#n（n番目のチャネル）の分割ストリーム（のパケット）を、バッファ４２ｎに供給する。
【００４３】
ここで、以上のように、スプリッタ４１において、入力ストリームが、N個のチャネルch#1ないしch#Nの分割ストリームに分割されることで、各チャネルch#nの分割ストリームは、入力ストリームのデータレートよりも低いデータレートのストリームとなる。これにより、1チャネルの分割ストリームは、入力ストリームを1チャネルで伝送する場合よりも狭い伝送帯域で伝送することができる。
【００４４】
なお、スプリッタ４１は、入力ストリームがTSである場合には、BBF用データを、N個のチャネルch#1ないしch#Nのうちの１のチャネルに分配するとともに、BBF用データと同一のデータ量のNP(Null Packet)を、他のすべてのチャネルに分配する。したがって、入力ストリームがTSである場合には、各チャネルch#nの分割ストリームにおいて、BBF用データどうしの間は、NPで満たされる。
【００４５】
また、スプリッタ４１において、入力ストリームの、チャネルch#1ないしch#Nの分割ストリームへの分割は、例えば、チャネルch#nの分割ストリームにおいて、BBF用データどうしの間隔が、より短くなり、かつ、できるだけ一様になるように行われる。さらに、入力ストリームの分割は、チャネルch#nにおいて伝送することができるデータレート（以下）の分割ストリームが得られるように行われる。
【００４６】
バッファ４２ｎは、例えば、FIFO(First In First Out)であり、スプリッタ４１から供給されるチャネルch#nの分割ストリーム（のパケット）を、順次記憶し、さらに、記憶したチャネルch#nの分割ストリームを順次、変調部４３ｎに供給する。
【００４７】
変調部４３ｎは、バッファ４２ｎからのチャネルch#nの分割ストリームを処理し、その結果得られるチャネルch#nのチャネルストリームs#1を送信する。
【００４８】
変調部４３ｎは、同期部５１、削除部５２、BBF生成部５３、及び、FEC/MOD(Forward Error Correction/Modulation)部５４を有する。
【００４９】
同期部５１には、バッファ４２ｎから、チャネルch#nの分割ストリームが供給されるとともに、時刻関連情報生成部４７から、パケットの送信時刻等に関連する時刻関連情報としての、例えば、DVB-S2等に規定されているISSY(Input Stream Synchroniser)の１つである、パケットの送信時刻を表すISCR(Input Stream Time Reference)等が供給される。
【００５０】
同期部５１は、バッファ４２ｎからのチャネルch#nの分割ストリームの各パケットの最後に、そのパケットが同期部５１に供給されたときに時刻関連情報生成部４７から供給されるISCRを付加し、その結果得られるチャネルch#nの分割ストリームを、削除部５２に供給する。
【００５１】
削除部５２は、同期部５１からのチャネルch#nの分割ストリーム（各パケットに、ISCRが付加された分割ストリーム）から、スプリッタ４１での入力ストリームの分割によって挿入されたNPを削除し、その結果得られるチャネルch#nの分割ストリームを、BBF生成部５３に供給する。
【００５２】
ここで、入力ストリームがTS以外のストリームである場合には、削除部５２は、同期部５１からの分割ストリームを、そのまま、BBF生成部５３に供給する。したがって、入力ストリームがTSでない場合には、削除部５２は、設ける必要がない。
【００５３】
BBF生成部５３は、削除部５２から供給されるチャネルch#nの分割ストリームの各BBF用データを対象として、そのBBF用データを、BBFのデータフィールドに配置したBBFを生成する。そして、BBF生成部５３は、そのようなBBFで構成されるチャネルch#nの分割ストリームを、FEC/MOD部５４に供給する。
【００５４】
すなわち、BBF生成部５３は、削除部５２から供給されるチャネルch#nの分割ストリームのBBF用データを構成するパケットのうちの１つのパケットである、例えば、先頭のパケット（BBF用データを構成するパケットのうちの、時間的に最も先行するパケット）等に付加されているISCRを含むBBヘッダ（BBFのヘッダ）を生成する。
【００５５】
さらに、BBF生成部５３は、BBF用データを構成するパケットに付加されているISCRを削除し、そのISCRの削除後のBBF用データに、BBヘッダを付加することで、データフィールドに、ISCRの削除後のBBF用データが配置されたBBFを生成する。
【００５６】
そして、BBF生成部５３は、以上のようなBBFで構成されるチャネルch#nの分割ストリーム、すなわち、BBFを最小単位とするチャネルch#nの分割ストリームを、FEC/MOD部５４に供給する。
【００５７】
ここで、スプリッタ４１で得られるBBF用データは、入力ストリームから抽出された連続するパケット（のデータ）であるので、BBF生成部５３で得られるBBFのデータフィールドには、BBF用データとしての入力ストリームの１以上のパケットが連続する順番で配置されている。
【００５８】
なお、上述のように、同期部５１で分割ストリームの各パケットに付加されたISCRは、BBF生成部５３で削除され、BBF用データの先頭のパケットに付加されたISCRだけが、BBヘッダに含められる。
【００５９】
そこで、同期部５１では、分割ストリームの各パケットに、ISCRを付加するのではなく、分割ストリームのBBF用データの先頭のパケットにだけ、ISCRを付加することができる。
【００６０】
また、変調部４３ｎは、同期部５１を設けずに構成することができる。同期部５１を設けずに、変調部４３ｎを構成する場合には、BBF生成部５３において、時間関連情報生成部４７から供給されるISCRが受信され、そのISCRのうちの、BBF用データの先頭のパケットのタイミングで受信されたISCRが、そのBBF用データがデータフィールドに配置されるBBFのBBヘッダに含められる。
【００６１】
さらに、上述の場合には、BBF生成部５３において、削除部５２からのBBF用データを構成するパケットに付加されているISCRを削除し、そのISCRの削除後のBBF用データをデータフィールドに配置したBBFを生成することとしたが、BBF生成部５３では、その他、例えば、削除部５２からのBBF用データを、そのままデータフィールドに配置したBBFを生成することができる。この場合、BBF用データの先頭のパケットに付加されているISCRは、BBヘッダに含めて良いし、含めなくても良い。
【００６２】
FEC/MOD部５４は、BBF生成部５３から供給されるチャネルch#nの分割ストリームのBBFをFECの対象として、FEC、すなわち、例えば、BCH符号化やLDPC符号化等の誤り訂正符号化を行う。
【００６３】
さらに、FEC/MOD部５４は、誤り訂正符号化後のBBF（FECフレーム）に、例えば、DVB-S2のPL(Physical Layer)ヘッダ（拡張PLヘッダを含む）を付加すること等によって、DVB-S2のPLフレームで構成されるチャネルch#nの分割ストリームを生成する。
【００６４】
その後、FEC/MOD部５４は、PLフレームで構成されるチャネルch#nの分割ストリームを、所定のビット数ずつのシンボルにシンボル化し、そのシンボルを直交変調する。そして、FEC/MOD部５４は、直交変調の結果得られるチャネルch#nの伝送帯域（周波数帯域）の変調信号を、チャネルch#nのチャネルストリームs#nとして送信する。
【００６５】
シンボルクロック生成部４６は、チャネルch#1ないしch#Nのうちの、1つのメインチャネル（例えば、チャネルch#1等）のシンボルのレートのクロックであるシンボルクロックを生成し、時刻関連情報生成部４７に供給する。
【００６６】
時刻関連情報生成部４７は、例えば、カウンタで構成され、シンボルクロック生成部４６からのシンボルクロックに同期してカウントを行うことで、時刻関連情報としての、ISCR等のISSYを生成し、変調部４３１ないし４３Ｎ（の同期部５１）に供給する。したがって、各時刻において、変調部４３１ないし４３Ｎのすべてには、同一のISCR等のISSYが供給される。
【００６７】
＜CB分割部１１の第１の構成例の送信処理＞
【００６８】
図４は、図３のCB分割部１１の処理（送信処理）を説明するフローチャートである。
【００６９】
ステップＳ３１において、スプリッタ４１は、そこに供給される入力ストリームを分割することにより、BBF用データを最小単位とするN個のチャネルch#1ないしch#Nの分割ストリームを生成して、チャネルch#nの分割ストリームを、バッファ４２ｎに供給する。
【００７０】
バッファ４２ｎは、スプリッタ４１から供給されるチャネルch#nの分割ストリームを、順次記憶し、さらに、記憶したチャネルch#nの分割ストリームを、変調部４３ｎに順次供給して、処理は、ステップＳ３１からステップＳ３２に進む。
【００７１】
ステップＳ３２では、変調部４３ｎにおいて、同期部５１が、バッファ４２ｎからのチャネルch#nの分割ストリームを各パケットの最後に、時刻関連情報生成部４７から供給されるISCRを付加し、その結果得られるチャネルch#nの分割ストリームを、削除部５２に供給する。
【００７２】
削除部５２は、入力ストリームがTSである場合には、同期部５１からのチャネルch#nの分割ストリーム（各パケットに、ISCRが付加された分割ストリーム）から、その分割ストリームに含まれるNPを削除し、その結果得られるチャネルch#nの分割ストリームを、BBF生成部５３に供給して、処理は、ステップＳ３２からステップＳ３３に進む。
【００７３】
ステップＳ３３では、BBF生成部５３は、削除部５２から供給されるチャネルch#nの分割ストリームのBBF用データの先頭のパケットに付加されているISCRを含むBBヘッダを生成する。
【００７４】
さらに、BBF生成部５３は、BBF用データを構成するパケットに付加されているISCRを削除し、そのISCRの削除後のBBF用データを、BBFのデータフィールドに配置する。そして、BBF生成部５３は、BBF用データを配置したデータフィールドに、BBヘッダを付加することで、BBFを生成し、そのBBFを最小単位とするチャネルch#nの分割ストリームを、FEC/MOD部５４に供給して、処理は、ステップＳ３３からステップＳ３４に進む。
【００７５】
ステップＳ３４では、FEC/MOD部５４は、BBF生成部５３から供給されるチャネルch#nの分割ストリームの各BBFを対象として、BCH符号化やLDPC符号化等の誤り訂正符号化を行う。
【００７６】
さらに、FEC/MOD部５４は、誤り訂正符号化後のBBFを含むPLフレームを構成し、そのPLフレームの直交変調を行う。そして、FEC/MOD部５４は、直交変調の結果得られるチャネルch#nの分割ストリームの変調信号を、チャネルch#nのチャネルストリームs#nとして送信する。
【００７７】
なお、図４の送信処理のステップＳ３１ないしＳ３４は、パイプラインで行われる。
【００７８】
以上のように、CB分割部１１では、入力ストリームを、BBFを最小単位とするN個のチャネルch#1ないしch#Nの分割ストリームに分割して送信するので、高データレートの入力ストリームを、伝送帯域がそれほど広くないチャネルを複数（N個）用いて送信することができる。
【００７９】
さらに、チャネルch#nの分割ストリームから得られるBBFを対象に誤り訂正符号化等を行うFEC/MOD部５４として、処理速度がそれほど速くない回路を採用することができる。
【００８０】
＜送信装置１０のCB分割部１１の第２の構成例＞
【００８１】
図５は、図１の送信装置１０のCB分割部１１の第２の構成例を示すブロック図である。
【００８２】
なお、図中、図３の場合と対応する部分については、同一の符号を付してあり、以下では、その説明は、適宜省略する。
【００８３】
図５において、CB分割部１１は、バッファ４２１ないし４２Ｎ、変調部４３１ないし４３Ｎ、シンボルクロック生成部４６、及び、時間関連情報生成部４７を有する点で、図３の場合と共通する。
【００８４】
但し、図５のCB分割部１１は、スプリッタ４１に代えて、スプリッタ６４が設けられている点で、図３の場合と相違する。
【００８５】
また、図５のCB分割部１１は、変調部４３ｎが、同期部５１、削除部５２、BBF生成部５３、及び、FEC/MOD部５４のうちの、FEC/MOD部５４だけが設けられて構成されている点で、図３の場合と相違する。
【００８６】
さらに、図５のCB分割部１１は、図３の同期部５１、削除部５２、及び、BBF生成部５３に代えて、同期部６１、削除部６２、及び、BBF生成部６３が、変調部４３ｎの内部ではなく、スプリッタ６４の前段に、それぞれ設けられている点で、図３の場合と相違する。
【００８７】
図５のCB分割部１１では、入力ストリームが、同期部６１に供給される。
【００８８】
同期部６１は、そこに供給される入力ストリームの各パケットの最後に、そのパケットが同期部６１に供給されたときに時刻関連情報生成部４７から供給されるISCRを付加し、その結果得られる入力ストリームを、削除部６２に供給する。
【００８９】
削除部６２は、同期部６１からの入力ストリーム（各パケットに、ISCRが付加された入力ストリーム）がTSである場合に、そのTSである入力ストリームから、NPを削除し、その結果得られる入力ストリームを、BBF生成部６３に供給する。
【００９０】
ここで、入力ストリームがTS以外のストリームである場合には、削除部６２は、同期部６１からの分割ストリームを、そのまま、BBF生成部６３に供給する。したがって、入力ストリームがTSでない場合には、削除部６２は、設ける必要がない。
【００９１】
BBF生成部６３は、削除部６２から供給される入力ストリームのパケットを連続する順番でデータフィールドに配置したBBFを生成し、そのようなBBFで構成される入力ストリームを、スプリッタ６１に供給する。
【００９２】
すなわち、BBF生成部６３は、削除部６２から供給される入力ストリームの各パケットに付加されているISCRを削除し、そのISCRの削除後の入力ストリームからBBF用データのデータ量だけ連続するパケット（のデータ）を、BBF用データとして、順次抽出（選択）することで、入力ストリームを、BBF用データの単位に分割する。
【００９３】
また、BBF生成部６３は、BBF用データの先頭のパケットに付加されていたISCRを含むBBヘッダを生成する。
【００９４】
さらに、BBF生成部６３は、BBF用データに、BBヘッダを付加することで、データフィールドに、BBF用データが配置されたBBFを生成する。
【００９５】
そして、BBF生成部６３は、以上のようなBBFで構成される入力ストリーム、すなわち、BBFを最小単位とする入力ストリームを、スプリッタ６４に供給する。
【００９６】
ここで、BBF生成部６３で得られるBBF用データは、入力ストリームから抽出された連続するパケット（のデータ）であるので、BBF生成部６３で得られるBBFのデータフィールドには、BBF用データとしての入力ストリームのパケット（のデータ）が連続する順番で配置されている。
【００９７】
なお、図３の場合と同様に、同期部６１では、入力ストリームの各パケットに、ISCRを付加するのではなく、入力ストリームのBBF用データの先頭のパケットにだけ、ISCRを付加することができる。
【００９８】
また、CB分割部１１は、同期部６１を設けずに、かつ、BBF生成部６３において、時間関連情報生成部４７から供給されるISCRを受信するように構成することができる。この場合、BBF生成部６３において、時間関連情報生成部４７から受信したISCRのうちの、BBF用データの先頭のパケットのタイミングで受信したISCRが、そのBBF用データがデータフィールドに配置されるBBFのBBヘッダに含められる。
【００９９】
さらに、上述の場合には、BBF生成部６３において、削除部６２からのBBF用データを構成するパケットに付加されているISCRを削除し、そのISCRの削除後のBBF用データをデータフィールドに配置したBBFを生成することとしたが、BBF生成部６３では、その他、例えば、削除部６２からのBBF用データを、そのままデータフィールドに配置したBBFを生成することができる。この場合、BBF用データの先頭のパケットに付加されているISCRは、BBヘッダに含めて良いし、含めなくても良い。
【０１００】
スプリッタ６４は、BBF生成部６３からのBBFを最小単位とする入力ストリームを受信し、その入力ストリームを、BBFを最小単位とするN個（以下）のチャネルch#1ないしch#Nの分割ストリームに分割する。
【０１０１】
すなわち、スプリッタ６４は、入力ストリームから、BBFを抽出（選択）し、N個のチャネルch#1ないしch#Nのうちの、ある１のチャネルch#nに分配する。
【０１０２】
さらに、スプリッタ６４は、入力ストリームの、続くBBFを、N個のチャネルch#1ないしch#Nのうちの、前回と同一のチャネルch#n、又は、異なるチャネルch#n'に分配し、以下、同様に、入力ストリームを、BBFの単位で分配すること繰り返すことにより、入力ストリームから、BBFを最小単位とするN個のチャネルch#1ないしch#Nの分割ストリームを生成する。
【０１０３】
そして、スプリッタ６４は、チャネルch#nの分割ストリームを、バッファ４２ｎに供給する。
【０１０４】
バッファ４２ｎでは、スプリッタ６４からのチャネルch#nの分割ストリームが一時記憶され、変調部４３ｎのFET/MOD部５４に供給される。FET/MOD部５４では、バッファ４２ｎからのチャネルch#nの分割ストリームのBBFについて、図３の場合と同様の処理が行われる。
【０１０５】
すなわち、FET/MOD部５４では、バッファ４２ｎからのチャネルch#nの分割ストリームのBBFをFECの対象として、FEC、すなわち、例えば、BCH符号化やLDPC符号化等の誤り訂正符号化が行われる。さらに、FEC/MOD部５４では、誤り訂正符号化後のBBF（FECフレーム）を含むPLフレームが構成される。そして、FEC/MOD部５４では、PLフレームで構成されるチャネルch#nの分割ストリームが直交変調され、その直交変調の結果得られるチャネルch#nの伝送帯域の変調信号が、チャネルch#nのチャネルストリームs#nとして送信される。
【０１０６】
図５のCB分割部１１でも、図３の場合と同様に、スプリッタ６４において、入力ストリームが、N個のチャネルch#1ないしch#Nの分割ストリームに分割されることで、各チャネルch#nの分割ストリームは、入力ストリームのデータレートよりも低いデータレートのストリームとなるので、1チャネルの分割ストリームは、入力ストリームを伝送する場合よりも狭い伝送帯域で伝送することができる。
【０１０７】
なお、スプリッタ６４において、入力ストリームの、チャネルch#1ないしch#Nの分割ストリームへの分割は、例えば、図３の場合と同様に、チャネルch#nの分割ストリームにおいて、BBFどうしの間隔が、より短くなり、できるだけ一様になるように、かつ、チャネルch#nにおいて伝送することができるデータレート（以下）の分割ストリームが得られるように行われる。
【０１０８】
＜CB分割部１１の第２の構成例の送信処理＞
【０１０９】
図６は、図５のCB分割部１１の処理（送信処理）を説明するフローチャートである。
【０１１０】
ステップＳ４１において、同期部６１は、そこに供給される入力ストリームの各パケットの最後に、時刻関連情報生成部４７から供給されるISCRを付加し、その結果得られる入力ストリームを、削除部６２に供給する。
【０１１１】
削除部６２は、同期部６１からの入力ストリームから、必要に応じて、NPを削除し、その結果得られる入力ストリームを、BBF生成部６３に供給して、処理は、ステップＳ４１からステップＳ４２に進む。
【０１１２】
ステップＳ４２では、BBF生成部６３は、削除部６２から供給される入力ストリームの各パケットに付加されているISCRを削除し、そのISCRの削除後の入力ストリームからBBF用データのデータ量だけ連続するパケット（のデータ）を、BBF用データとして抽出することで、入力ストリームを、BBF用データの単位に分割する。
【０１１３】
さらに、BBF生成部６３は、BBF用データの先頭のパケットに付加されていたISCRを含むBBヘッダを生成する。
【０１１４】
そして、BBF生成部６３は、BBF用データをデータフィールドに配置し、そのデータフィールドに、BBヘッダを付加することで、BBF用データがデータフィールドに配置されたBBFを生成する。
【０１１５】
BBF生成部６３は、以上のようにして生成されたBBFを最小単位とする入力ストリームを、スプリッタ６４に供給して、処理は、ステップＳ４２からステップＳ４３に進む。
【０１１６】
ステップＳ４３では、スプリッタ６４は、BBF生成部６３からの入力ストリームを、BBF単位で、N個のチャネルch#1ないしch#Nに分配することにより、BBFを最小単位とするN個のチャネルch#1ないしch#Nの分割ストリームに分割する。
【０１１７】
チャネルch#nの分割ストリームは、スプリッタ６４から、バッファ４２ｎを介して、変調部４３ｎに供給され、処理は、ステップＳ４３からステップＳ４４に進む。
【０１１８】
ステップＳ４４では、変調部４３ｎにおいて、FET/MOD部５４が、バッファ４２ｎを介して供給されるチャネルch#nの分割ストリームの各BBFを対象として、BCH符号化やLDPC符号化等の誤り訂正符号化を行う。
【０１１９】
さらに、FEC/MOD部５４は、誤り訂正符号化後のBBFを含むPLフレームを構成し、そのPLフレームの直交変調を行う。そして、FEC/MOD部５４は、直交変調の結果得られるチャネルch#nの分割ストリームの変調信号を、チャネルch#nのチャネルストリームs#nとして送信する。
【０１２０】
なお、図６の送信処理のステップＳ４１ないしＳ４４は、パイプラインで行われる。
【０１２１】
以上のように、図５のCB分割部１１でも、図３の場合と同様に、入力ストリームを、N個のチャネルch#1ないしch#Nの分割ストリームに分割して送信するので、高データレートの入力ストリームを、伝送帯域がそれほど広くないチャネルを複数用いて送信することができる。
【０１２２】
さらに、チャネルch#nの分割ストリームのBBFを対象に誤り訂正符号化等を行うFEC/MOD部５４として、処理速度がそれほど速くない回路を採用することができる。
【０１２３】
＜受信装置２０のCB再構成部２１の構成例＞
【０１２４】
図７は、図１の受信装置２０のCB再構成部２１の構成例を示すブロック図である。
【０１２５】
図７において、CB再構成部２１は、N個の復調部７１１ないし７１Ｎ、及び、マージャ７２を有する。
【０１２６】
復調部７１は、送信装置１０から送信されてくるチャネルch#nのチャネルストリームs#nを受信して処理する。
【０１２７】
すなわち、復調部７１は、DMD/FEC(De-modulation/Forward Error Correction)部８１を有する。
【０１２８】
DMD/FEC部８１は、送信装置１０から送信されてくるチャネルch#nのチャネルストリームs#nを受信し、そのチャネルch#nのチャネルストリームs#nを対象として、図３又は図５のFEC/MOD部５４の変調に対応する復調を行う。そして、DMD/FEC部８１は、復調の結果得られるチャネルch#nの復調信号に対して、図３又は図５のFEC/MOD部５４の誤り訂正符号化に対応する誤り訂正としての誤り訂正符号の復号を行うことで、図３又は図５のFEC/MOD部５４に供給される、BBFを最小単位とするチャネルch#nの分割ストリームを復元し、マージャ７２に供給する。
【０１２９】
マージャ７２は、復調部７１１ないし７１ＮそれぞれのDMD/FEC部８１から供給されるチャネルch#1ないしch#Nの分割ストリームを構成するBBFを分解し、そのBBFのデータフィールドに配置されているBBF用データを抽出する。
【０１３０】
さらに、マージャ７２は、BBFから抽出したBBF用データを、そのBBFのBBヘッダに含まれる時刻情報としてのISCRが表す時刻（送信時刻）に従った順番で並べることで、複数のパケットから構成される入力ストリームを再構成し、出力ストリームとして出力する。
【０１３１】
＜受信処理＞
【０１３２】
図８は、図７のCB再構成部２１の処理（受信処理）の例を説明するフローチャートである。
【０１３３】
ステップＳ６１において、各復調部７１ｎのDMD/FEC部８１が、送信装置１０から送信されてくるチャネルch#nのチャネルストリームs#nを受信し、復調、及び、誤り訂正を行うことにより、チャネルch#nの分割ストリームを復元し、マージャ７２に供給して、処理は、ステップＳ６２に進む。
【０１３４】
ステップＳ６２では、マージャ７２は、復調部７１１ないし７１ＮそれぞれのDMD/FEC部８１から供給されるチャネルch#1ないしch#Nの分割ストリームを構成するBBFを分解し、そのBBFのデータフィールドに配置されているBBF用データを抽出する。
【０１３５】
さらに、マージャ７２は、BBFから抽出したBBF用データを、そのBBFのBBヘッダに含まれるISCRに従った順番で並べることで、入力ストリームを再構成し、出力ストリームとして出力して、処理は終了する。
【０１３６】
なお、図８のステップＳ６１及びＳ６２の処理は、パイプラインで行われる。
【０１３７】
以上のように、マージャ７２は、BBFのBBヘッダに含まれるISCRに従って、そのBBFから抽出したBBF用データを並べるので、チャネルch#1ないしch#Nの分割ストリームから、元の入力ストリームを復元することができる。
【０１３８】
すなわち、送信装置１０のCB分割部１１では、上述したように、入力ストリームからBBF用データのデータ量だけ連続するパケット（のデータ）が、BBF用データとして抽出され、そのBBF用データが、BBFのデータフィールドに配置されることで、データフィールドに入力ストリームのパケットが連続する順番で配置されたBBFを最小単位とするN個のチャネルch#1ないしch#Nの分割ストリームが生成されるので、BBFのデータフィールドには、入力ストリームのパケットが連続する順番で配置されている。
【０１３９】
このように、BBFのデータフィールドには、入力ストリームのパケットが連続する順番で配置されているので、そのBBFのBBヘッダに含まれるISCR、すなわち、本実施の形態では、BBFのデータフィールドに配置された先頭のパケットに付加されたISCRに従って、チャネルch#1ないしch#Nの分割ストリームを構成するBBFのデータフィールドに配置されたBBF用データとしてのパケットを並べることにより、入力ストリーム（のパケットの並び）を復元することができる。
【０１４０】
＜分割ストリームと出力ストリームの例＞
【０１４１】
図９は、入力ストリームから、BBF用データのデータ量だけ連続するパケット（のデータ）を、BBF用データとして抽出し、そのBBF用データを、BBFのデータフィールドに配置する場合の、N個のチャネルとしての2個のチャネルch#1及びch#2の分割ストリームと、出力ストリームとの例を示す図である。
【０１４２】
図９において、入力ストリームは、パケット#1，#2，・・・が、その順に並んで構成されている。
【０１４３】
図９では、BBF用データのデータ量に等しい、例えば、連続する8個のパケット、すなわち、例えば、パケット#1ないし#8や、パケット#9ないし#16等を、BBF用データとして、そのようなBBF用データが、入力ストリームから抽出され、そのBBF用データをデータフィールドに配置することで、BBFが構成されている。
【０１４４】
そして、入力ストリームが、そのようなBBFからなるチャネルch#1の分割ストリームとチャネルch#2の分割ストリームとに分割されている。
【０１４５】
また、分割ストリームを構成するBBFのBBヘッダには、そのBBFに配置されたBBF用データの先頭のパケットに付加されるISCRが含められている。
【０１４６】
ここで、図９では、BBF用データとしての連続するパケット#1ないし#8がデータフィールドに配置されたBBF#1が、チャネルch#1の分割ストリームのBBFになっており、BBF用データとしての連続するパケット#9ないし#16がデータフィールドに配置されたBBF#2が、チャネルch#2の分割ストリームのBBFになっている。
【０１４７】
そして、BBF#1のBBヘッダには、そのBBF#1に配置されたBBF用データとしてのパケット#1ないし#8のうちの先頭のパケット#1に付加されるISCRである、例えば、"100"が含められている。
【０１４８】
また、BBF#2のBBヘッダには、そのBBF#2に配置されたBBF用データとしてのパケット#9ないし#16のうちの先頭のパケット#9に付加されるISCRである、例えば、"200"が含められている。
【０１４９】
図９では、分割ストリームを構成するBBFのBBヘッダに含まれるISCRに従い、チャネルch#1の分割ストリームのBBF#1に配置されたBBF用データとしての8個の連続するパケット#1ないし#8と、チャネルch#2の分割ストリームのBBF#2に配置されたBBF用データとしての8個の連続するパケット#9ないし#16とを並べることで、元の入力ストリームを、出力ストリームとして再構成することができる。
【０１５０】
図１０は、入力ストリームから、BBF用データのデータ量だけ連続するパケットではないパケットを、BBF用データとして抽出し、そのBBF用データを、BBFのデータフィールドに配置する場合の、N個のチャネルとしての2個のチャネルch#1及びch#2の分割ストリームと、出力ストリームとの例を示す図である。
【０１５１】
図１０において、入力ストリームは、図９と同様に、パケット#1，#2，・・・が、その順に並んで構成されている。
【０１５２】
図１０では、BBF用データのデータ量だけ連続するパケットではないパケット、すなわち、例えば、パケット#1から1個おきの8個のパケット#1,#3,・・・,#15や、パケット#2から1個おきの8個のパケット#2,#4,・・・,#16等を、BBF用データとして、そのようなBBF用データが、入力ストリームから抽出され、そのBBF用データをデータフィールドに配置することで、BBFが構成されている。
【０１５３】
そして、入力ストリームが、そのようなBBFからなるチャネルch#1の分割ストリームとチャネルch#2の分割ストリームとに分割されている。
【０１５４】
また、分割ストリームを構成するBBFのBBヘッダには、そのBBFに配置されたBBF用データの先頭のパケットに付加されるISCRが含められている。
【０１５５】
ここで、図１０では、BBF用データとしての、パケット#1から1個おきの8個のパケット#1,#3,・・・,#15がデータフィールドに配置されたBBF#1が、チャネルch#1の分割ストリームのBBFになっており、BBF用データとしての、パケット#2から1個おきの8個のパケット#2,#4,・・・,#16がデータフィールドに配置されたBBF#2が、チャネルch#2の分割ストリームのBBFになっている。
【０１５６】
そして、BBF#1のBBヘッダには、そのBBF#1に配置されたBBF用データとしてのパケット#1,#3,・・・,#15のうちの先頭のパケット#1に付加されるISCRである、例えば、"100"が含められている。
【０１５７】
また、BBF#2のBBヘッダには、そのBBF#2に配置されたBBF用データとしてのパケット#2,#4,・・・,#16のうちの先頭のパケット#2に付加されるISCRである、例えば、"101"が含められている。
【０１５８】
図１０では、分割ストリームを構成するBBFのBBヘッダに含まれるISCRに従い、チャネルch#1の分割ストリームのBBF#1に配置されたBBF用データとしての8個の不連続のパケット#1,#3,・・・,#15と、チャネルch#2の分割ストリームのBBF#2に配置されたBBF用データとしての8個の不連続のパケット#2,#4,・・・,#16とを並べると、その結果得られる出力ストリームのパケットの並びは、パケット#1,#3,・・・,#15,#2,#4,・・・,#16となる。
【０１５９】
したがって、BBF用データのデータ量だけ連続するパケットではないパケットを、BBF用データとして、BBFを構成した場合には、分割ストリームを構成するBBFのBBヘッダに含まれるISCRを用いるだけでは、出力ストリームとして、元の入力ストリームを再構成することはできない。
【０１６０】
＜ISSYのフォーマット＞
【０１６１】
図１１は、DVB-S2に規定されているISSYのフォーマットを示す図である。
【０１６２】
ISSYには、ISCR，BUFS、及び、BUFSTATがある。
【０１６３】
ISCRは、上述したように、パケットの送信時刻を表す時刻情報であり、2又は3バイトの情報である。
【０１６４】
ここで、ISCRには、ショートとロングとの2種類がある。ショートのISCRは、2バイトであり、ロングのISCRは、3バイトである。
【０１６５】
BUFSは、CB分割部１１（図３）の削除部５２でNPが削除された分割ストリーム（以下、削除後ストリームともいう）にNPを挿入することで、スプリッタ４１でNPが挿入された分割ストリーム（以下、NP挿入ストリームともいう）を復元する際に、削除後ストリームを一時記憶するバッファ（図示せず）に必要なバッファ容量（所要Buffer量）を表す（実質）2バイトの情報である。
【０１６６】
なお、2バイト（First Byte及びSecond Byte）のBUFSとしてのビット列の先頭から5ビット目と6ビット目の2ビットは、BUFS_UNITと呼ばれ、BUFSが表すバッファ容量の単位を表す。そして、7ビット目から最後の16ビットまでの10ビットが、バッファ容量の値を表す。
【０１６７】
受信装置２０では、例えば、CB再構成部２１（図７）のマージャ７２において、BUFSが表すバッファ容量のバッファとしての記憶領域を確保し、そのバッファに削除後ストリームを書き込み、NPを挿入しながら読み出すことで、削除後ストリームを、NP挿入ストリームに復元する。
【０１６８】
BUFSTATは、マージャ７２が、バッファに記憶された（削除後ストリーム）のパケットを読み出すことで、削除後ストリームを、NP挿入ストリームとして復元する際に、バッファからパケットを読み出す読み出し開始時刻を表す（実質）2バイトの情報である。
【０１６９】
なお、2バイト（First Byte及びSecond Byte）のBUFSTATとしてのビット列の先頭から5ビット目と6ビット目の2ビットは、BUFSTAT_UNITと呼ばれ、BUFSTATが表す読み出し開始時刻の単位を表す。そして、7ビット目から最後の16ビットまでの10ビットが、読み出し開始時刻の値を表す。BUFSTATの10ビットは、読み出し開始時刻を、バッファからパケットを読み出すときのバッファのデータ残量によって表す。
【０１７０】
受信装置２０では、例えば、マージャ７２において、削除後ストリームをNP挿入ストリームに復元する際に、BUFSTATが表すタイミング（時刻）で、バッファからのパケットの読み出しが開始される。
【０１７１】
＜BBFのフォーマット＞
【０１７２】
図１２は、DVB-S2のBBFのフォーマットを示す図である。
【０１７３】
上述したように、CB分割部１１（図３、図５）では、BBFのデータフィールドに配置されるBBF用データの先頭のパケットのISCRが、そのBBFのBBヘッダに含められる。
【０１７４】
BBヘッダにISCRを含める場合に、そのISCRを含めるフィールドとしては、BBヘッダのフィールドのうちの、例えば、DVB-S2において固定値が設定されるフィールドを採用することができる。
【０１７５】
BBヘッダにおいて、固定値が設定されるフィールドとしては、例えば、2バイトのUPLのフィールドや1バイトのSYNCのフィールドがある。
【０１７６】
例えば、ISCRが3バイトであるとすると、その3バイトのISCRのうちの、MSB(Most Significant Bit)側の2バイトを、UPLのフィールドに含め、LSB(Least Significant Bit)側の1バイトを、SYNCのフィールドに含めることができる。
【０１７７】
＜入力ストリームがGSEパケット又はGSE-Liteパケットのストリームである場合のシグナリング＞
【０１７８】
図１３は、入力ストリームがGSEパケット又はGSE-Liteパケットのストリームである場合に、その旨を報知するシグナリングの例を説明する図である。
【０１７９】
すなわち、図１３は、DVB-S2のBBFのBBヘッダのフォーマットを示している。
【０１８０】
DVB-S2のBBFのBBヘッダは、80ビットのデータであり、1バイトのMATYPE-1、1バイトのMATYPE-2、2バイトのUPL、2バイトのDFL、1バイトのSYNC、2バイトのSYNCD、及び、1バイトのCRC-8が、その順で並んで構成される。
【０１８１】
BBヘッダの先頭の1バイトのMATYPE-1には、2ビットのTS/GS、1ビットのSIS/MIS、1ビットのCCM/ACM、1ビットのISSYI、1ビットのNPD、及び、2ビットのROが、その順に割り当てられている。
【０１８２】
DVB-S2では、入力ストリームがTSであり、したがって、BBFに、TSパケットが含まれる場合（BBFのデータフィールドに、TSパケットが配置される場合）、TS/GSが11b（bは、その直前の数値が2進数であることを表す）に設定される。
【０１８３】
また、DVB-S2では、入力ストリームがGeneric Packeizedストリームである場合、TS/GSが00bに設定され、入力ストリームがGeneric Continuousストリームである場合、TS/GSが01bに設定される。
【０１８４】
しかしながら、DVB-S2では、入力ストリームがGSEパケット又はGSE-Liteパケットのストリームである場合のTS/GSの設定については、規定がされていない。
【０１８５】
また、DVB-S2では、2ビットのTS/GSについては、10bが、未使用になっている。さらに、TS/GSが、未使用の10に設定される場合、DVB-S2では、NPDは、機能しない（NPDは、入力ストリームがTSであり、TS/GSが11bであるときに機能する）。
【０１８６】
そこで、入力ストリームとして、GSEパケット又はGSE-Liteパケットのストリームを伝送するモードを、GSE-HEM(High Efficiency Mode)ということとすると、GSE-HEMを報知するためのシグナリングであるGSE-HEMシグナリングとしては、例えば、BBヘッダのMATYPE-1におけるTS/GS、及び、NPDを用いることができる。
【０１８７】
すなわち、入力ストリームが、GSEパケット又はGSE-Liteパケットのストリームである場合には、TS/GSを、GSE-HEMを表す10に設定し、入力ストリームが、GSEパケット及びGSE-Liteパケットのうちのいずれのストリームであるかによって、NPDを設定することができる。
【０１８８】
具体的には、例えば、入力ストリームが、GSEパケットのストリームである場合には、NPDを0に設定し、入力ストリームが、GSE-Liteパケットのストリームである場合には、NPDを1に設定することができる。
【０１８９】
かかるGSE-HEMシグナリングによれば、TS/GSが10に設定され、かつ、NPDが1に設定されている場合には、入力ストリームが、GSE-Liteパケットのストリームであることを識別することができる。
【０１９０】
また、TS/GSが10に設定され、かつ、NPDが0に設定されている場合には、入力ストリームが、GSEパケットのストリームであることを識別することができる。
【０１９１】
BBF生成部５３（図３、図５）では、そのBBF生成部５３で生成されるBBFについて、以上のようなGSE-HEMシグナリングを含むBBヘッダを生成することができる。
【０１９２】
以上のようなBBヘッダのBBFを送信することにより、そのBBFを受信する受信装置２０では、BBFのBBヘッダに含まれるGSE-HEMシグナリングに基づいて、そのBBFのデータフィールドに配置されているデータが、GSEパケットであることや、GSE-Liteパケットであること等を、容易に識別することができる。
【０１９３】
すなわち、BBFのデータフィールドが、GSEパケットやGSE-Liteパケットであることを識別するために、BBFのデータフィールドを解析する複雑なルールやロジックを、受信装置２０に実装することなく、BBFのデータフィールドが、GSEパケットやGSE-Liteパケットであることを識別することができる。
【０１９４】
＜本技術を適用したコンピュータの説明＞
【０１９５】
次に、上述した入力ストリームの分割や再構成等の一連の処理は、ハードウェアにより行うこともできるし、ソフトウェアにより行うこともできる。一連の処理をソフトウェアによって行う場合には、そのソフトウェアを構成するプログラムが、プロセッサ等のコンピュータにインストールされる。
【０１９６】
そこで、図１４は、上述した一連の処理を実行するプログラムがインストールされるコンピュータの一実施の形態の構成例を示している。
【０１９７】
プログラムは、コンピュータに内蔵されている記録媒体としてのハードディスク２０５やROM２０３に予め記録しておくことができる。
【０１９８】
あるいはまた、プログラムは、リムーバブル記録媒体２１１に格納（記録）しておくことができる。このようなリムーバブル記録媒体２１１は、いわゆるパッケージソフトウエアとして提供することができる。ここで、リムーバブル記録媒体２１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０１９９】
なお、プログラムは、上述したようなリムーバブル記録媒体２１１からコンピュータにインストールする他、通信網や放送網を介して、コンピュータにダウンロードし、内蔵するハードディスク２０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０２００】
コンピュータは、CPU(Central Processing Unit)２０２を内蔵しており、CPU２０２には、バス２０１を介して、入出力インタフェース２１０が接続されている。
【０２０１】
CPU２０２は、入出力インタフェース２１０を介して、ユーザによって、入力部２０７が操作等されることにより指令が入力されると、それに従って、ROM(Read Only Memory)２０３に格納されているプログラムを実行する。あるいは、CPU２０２は、ハードディスク２０５に格納されたプログラムを、RAM(Random Access Memory)２０４にロードして実行する。
【０２０２】
これにより、CPU２０２は、上述したフローチャートにしたがった処理、あるいは上述したブロック図の構成により行われる処理を行う。そして、CPU２０２は、その処理結果を、必要に応じて、例えば、入出力インタフェース２１０を介して、出力部２０６から出力、あるいは、通信部２０８から送信、さらには、ハードディスク２０５に記録等させる。
【０２０３】
なお、入力部２０７は、キーボードや、マウス、マイク等で構成される。また、出力部２０６は、LCD(Liquid Crystal Display)やスピーカ等で構成される。
【０２０４】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０２０５】
また、プログラムは、１のコンピュータ（プロセッサ）により処理されるものであっても良いし、複数のコンピュータによって分散処理されるものであっても良い。
【０２０６】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２０７】
なお、本技術の実施の形態は、上述した実施の形態に限定されるものではなく、本技術の要旨を逸脱しない範囲において種々の変更が可能である。
【０２０８】
例えば、本技術は、１つの機能をネットワークを介して複数の装置で分担、共同して処理するクラウドコンピューティングの構成をとることができる。
【０２０９】
また、上述のフローチャートで説明した各ステップは、１つの装置で実行する他、複数の装置で分担して実行することができる。
【０２１０】
さらに、１つのステップに複数の処理が含まれる場合には、その１つのステップに含まれる複数の処理は、１つの装置で実行する他、複数の装置で分担して実行することができる。
【０２１１】
また、本明細書に記載された効果はあくまで例示であって限定されるものではなく、他の効果があってもよい。
【０２１２】
なお、本実施の形態では、BBF用データの先頭のパケットの時刻情報としてのISCRを、BBヘッダに含めることとした、ISCRは、BBヘッダに代えて、又は、BBヘッダとともに、BBFのデータフィールドに含めることができる。
【０２１３】
また、BBヘッダに含めるISCRとしては、BBF用データの先頭のパケット以外のパケット（例えば、2番目や、最後のパケット等）のISCRを採用することができる。
【０２１４】
＜DVB-S2XでのGSE-HEMの規定＞
【０２１５】
以下に、DVB-S2を拡張したDVB-S2Xの規格"Digital Video Broadcasting (DVB); Second generation framing structure, channel coding and modulation systems for Broadcasting, Interactive Services, News Gathering and other broadband satellite applications Part II: S2-Extensions (DVB-S2X) - (Optional) DVB Document A83-2 March 2014"で規定されたGSE-HEMに関する記述を示す。
【０２１６】
4.3 System configurations
(see Part I, clause 4.3)
Table 1 associates the S2X system elements to the applications areas. All elements in Table 1 are optional in transmitting and receiving equipment complying with the S2 specification. At least "Normative" subsystems and functionalities shall be implemented in the transmitting and receiving equipment to comply with the S2X specification for a specific application area.
Within the present Annex, a number of configurations and mechanisms are defined as "Optional". Configurations and mechanisms explicitly indicated as "optional" within the present Annex, for a given application area, need not be implemented in the equipment to comply with the S2X specification. Nevertheless, when an "optional" mode or mechanism is implemented, it shall comply with the specification as given in the present document.
【０２１７】
ここで、DVB-S2Xの規格のTable 1を、図１５に示す。
【０２１８】
5.1.6 Base-Band Header insertion
(see Part I, clause 5.1.6)
First byte (MATYPE-1):
・TS/GS field (2 bits): Transport Stream Input, Generic Stream Input (packetized or continuous) or GSEHEM.
・SIS/MIS field (1 bit): Single Input Stream or Multiple Input Stream.
・CCM/ACM field (1 bit): Constant Coding and Modulation or Adaptive Coding and Modulation (VCM is signalled as ACM).
・ISSYI (1 bit), (Input Stream Synchronization Indicator): If ISSYI = 1 = active, the ISSY field (see annex D) is inserted after UPs or in the baseband header in GSE-HEM
・For TS input mode:
○NPD (1 bit): Null-packet deletion active/not active.
・For GSE/Generic Continuous/Generic Packetized modes:
○GSE-Lite (1 bit): GSE stream is GSE-Lite compliant/non-compliant
・RO (2 bits): Transmission Roll-off factor (α). Three additional roll-off factors shall be available, 0,15; 0,10 and 0,05. Signalling shall be according to the following rule (Table 1[sic: should be revised as Table 2]):
○If RO bits are signalled consistently from BBHEADER to BBHEADER as either 00, 01, 10 the backward compatible definition (High roll-off range) applies:
00 = 0,35
01 = 0,25
10 = 0,20
○If RO bits are signalled from BBHEADER to BBHEADER in an alternating way with 11 then their interpretation shall be Low roll-off range:
00 = 0,15
01 = 0,10
10 = 0,05
It shall be ensured that the in a Multiple Input Stream configuration (SIS/MIS field = 0) alternation is unambiguously evident over all Input Streams (for every ISI) and MODCOD combinations, such that any receiver will receive regular alternation. Any receiver, once locked will switch to low roll-off range on first detection of '11'.
【０２１９】
ここで、DVB-S2Xの規格のTable 2を、図１６に示す。
【０２２０】
5.1.7 GSE High Efficiency Mode (GSE-HEM)
GSE variable-length or constant length UPs may be transmitted in GSE-HEM. In GSE-HEM, slicing of GSE packets is performed and SYNCD shall always be computed. The receiver may derive the length of the UPs from the packet header, therefore UPL transmission in BBHEADER is not performed. UPs shall not be sliced when there is a BBFRAME from a different stream following, splitting is only possible with the immediately following BBFRAME. The optional ISSY field is transmitted in the BBHEADER.
The Mode Adaptation unit shall perform the following sequence of operations (see figure 1):
・Optional input stream synchronization (see Part I, Annex D.2) relevant to the first transmitted UP which starts in the data field; ISSY field inserted in the UPL and SYNC fields of the BBHEADER.
・Null-packet Deletion and CRC-8 at UP level shall not be computed nor inserted.
・SYNCD computation (pointing at the first bit of the first transmitted UP which starts in the Data Field) and storage in BBHEADER. The transmitted UP corresponds exactly to the original UP itself. Hence SYNCD points to the first bit of the original UP.
・UPL not computed nor transmitted.
・GSE-Lite compliance of the stream shall be signalled in the 6th bit of the MATYPE-1 field. GSE-Lite=1 means a GSE-Lite compliant signal is transmitted. GSE-Lite=0 means that the transmitted GSE stream may not meet the definition of a GSE-Lite signal.
【０２２１】
ここで、DVB-S2Xの規格のFigure 1を、図１７に示す。
【０２２２】
5.1.8.3. Channel bonding for GSE transmission
Generic Stream Encapsulation (GSE) [2] is an extremely flexible method to transmit any kind of data, including popular formats such as IP packets or TS packets where the data can be of fixed or variable length. GSE can be used for bonded channels to support a higher data rate than can be carried in a single RF channel. A maximum of L channels (L<=3) is supported. The number of bonded transponders and associated information is signalled in the GSE-LLC tables according to [2]. These GSE-LLC tables shall be transmitted in parallel over each of the bonded transponders. To ensure maximum efficiency in S2X, it is recommended to use GSE-HEM (see clause 5.1.7). The following describes the use of channel boding in GSE-HEM.
Channel bonding for GSE transmission is similar to the TS method of bonding described in clause 5.1.8.2, using the ISCR timing data in the ISSY field to allow the receiver to align packets from different RF channels (see Part I, Annex D for ISSY details). However ISSY is not added per UP, but per baseband frame (BBFRAME). ISSY shall always be used for bonded GSE channels. In the ISSY field, ISCR shall be transmitted every BBFRAME. BUFS and BUFSTAT shall not be transmitted.
At the modulator, input UPs (GSE packets) are continuously added to the Data Field of a single BBFRAME until it is complete. Appropriate ISSY information is added to the baseband frame header (BBHEADER) of each BBFRAME. ISSY information refers to the first transmitted UP which starts in the Data Field. UPs shall be transparently sliced between BBFRAMEs on different RF channels as necessary  it is not required to slice UPs on BBFRAMEs using the same RF channel. The order of input UPs must be maintained in the bonding process. Each BBFRAME is constructed with a length that is derived according to the modulation and coding parameters for that RF channel. Each RF channel may have different modulation and coding parameters. In order to reduce buffering requirements, BBFRAMEs shall be created for each RF channel according to the ratio of the bitrate of each RF channel. For example if the bitrates of two bonded RF channels are equal, BBFRAMEs for each RF channel shall occur in alternating fashion.
An example of the transmission of bonded GSE channels is shown in Figure 3 below.
At the receiver side, each GSE bonded RF channel is demodulated according to the modulation and coding parameters for that RF channel. An example diagram is shown in Figure 4.
The output from each demodulator is then combined at the Merger using the ISSY information contained in the BBHEADER of each BBFRAME. The ISSY information provides the timing information to recover the order of the BBRAMES from different demodulators. Since ISSY information applies to each BBFRAME, and the packet order of UPs within each BBFRAME is maintained, the overall order of UPs is maintained at the Merger output. Split UPs are reconstructed in the Merger.
In comparison to the TS method, the output bitrate of each demodulator is no greater than the bitrate of the channel, which can significantly reduce the processing burden at the Merger. Furthermore, since ISSY information need only be processed per BBFRAME, the merging operation processing burden is also reduced. A maximum tolerance of one BBFRAME of delay shall be allowed between the different receivers.
After merging, additional processing such as filtering of GSE packets, output of IP or TS packets rather than GSE packets, and so on may be undertaken at the receiver as necessary.
For Generic Packetized streams, ISSY must be added on a per packet basis the same as for TS channel bonding. CRC-8 shall be added per packet, as described in Part I clause 5.1.5. SYNCD shall be computed and point to the first bit of the CRC-8 of the previous UP. Packets shall only be split on the same RF channel.
For Generic Continuous streams using GSE, ISSY must be added on a per packet basis the same as for TS channel bonding. CRC-8 computation shall not be performed. SYNCD shall be computed and point to the first transmitted UP in the Data Field. The UPL field may contain proprietary signalling, including information about channel bonding, otherwise the UPL field shall be set to 0. GSE Packets shall only be split on the same RF channel.
【０２２３】
ここで、DVB-S2Xの規格のFigure 3を、図１８に示し、Figure 4を、図１９に示す。
【０２２４】
なお、本技術は、以下のような構成をとることができる。
【０２２５】
＜１＞
複数のパケットで構成される入力ストリームを分割し、FEC(Forward Error Correction)の対象となるBBF(Base Band Frame)のデータフィールドに前記入力ストリームの前記パケットが連続する順番で配置されたBBFを最小単位とする複数チャネルの分割ストリームを生成する分割部を備える
データ処理装置。
＜２＞
時刻を表す時刻情報を生成する生成部をさらに備え、
前記BBFは、前記BBFに配置される前記パケットに付加される前記時刻情報を含む
＜１＞に記載のデータ処理装置。
＜３＞
前記BBFのBBヘッダは、前記BBFに配置される先頭のパケットの前記時刻情報を含む
＜２＞に記載のデータ処理装置。
＜４＞
前記時刻情報は、DVB-S2に規定するISSY(Input Stream Synchroniser)であり、
DVB-S2に規定する前記BBFのBBヘッダのUPLフィールド及びSYNCフィールドを、前記ISSYを配置するフィールドとして用いる
＜３＞に記載のデータ処理装置。
＜５＞
前記分割部は、
前記パケットごとに、前記時刻情報を付加し、
前記BBFに配置される前記パケットの前記時刻情報を削除するとともに、前記BBFに配置される先頭のパケットの前記時刻情報を、前記BBFの前記BBヘッダに含める
＜４＞に記載のデータ処理装置。
＜６＞
前記分割部は、
前記入力ストリームを、前記BBFに配置されるBBF用データの単位で、前記分割ストリームに分割し、
前記分割ストリームのBBF用データが配置された前記BBFを生成する
＜１＞ないし＜５＞のいずれかに記載のデータ処理装置。
＜７＞
前記分割部は、
前記入力ストリームから、前記BBFを生成し、
前記入力ストリームを、前記BBFの単位で、前記分割ストリームに分割する
＜１＞ないし＜５＞のいずれかに記載のデータ処理装置。
＜８＞
前記入力ストリームは、TS(Transport Stream)，GCS(Generic Continuous Stream)，GSE(Generic Stream Encapsulation)パケットのストリーム、GSE-Liteパケットのストリーム、又は、IP(Internet Protocol)パケットのストリームである
＜１＞ないし＜７＞のいずれかに記載のデータ処理装置。
＜９＞
複数のパケットで構成される入力ストリームを分割し、FEC(Forward Error Correction)の対象となるBBF(Base Band Frame)のデータフィールドに前記入力ストリームの前記パケットが連続する順番で配置されたBBFを最小単位とする複数チャネルの分割ストリームを生成する
ステップを含むデータ処理方法。
＜１０＞
複数のパケットで構成される入力ストリームを分割し、FEC(Forward Error Correction)の対象となるBBF(Base Band Frame)のデータフィールドに前記入力ストリームの前記パケットが連続する順番で配置されたBBFを最小単位とする複数チャネルの分割ストリームを生成する送信装置から送信されてくる前記複数チャネルの分割ストリームから、前記入力ストリームを再構成する再構成部を備える
データ処理装置。
＜１１＞
前記送信装置は、時刻を表す時刻情報を生成し、
前記BBFは、前記BBFに配置される前記パケットに付加される前記時刻情報を含み、
前記再構成部は、前記時刻情報に基づいて、前記複数チャネルの分割ストリームから、前記入力ストリームを再構成する
＜１０＞に記載のデータ処理装置。
＜１２＞
前記BBFのBBヘッダは、前記BBFに配置される先頭のパケットの前記時刻情報を含み、
前記再構成部は、前記BBヘッダに含まれる前記時刻情報に基づいて、前記複数チャネルの分割ストリームから、前記入力ストリームを再構成する
＜１１＞に記載のデータ処理装置。
＜１３＞
前記時刻情報は、DVB-S2に規定するISSY(Input Stream Synchroniser)であり、
DVB-S2に規定する前記BBFのBBヘッダのUPLフィールド及びSYNCフィールドが、前記ISSYを配置するフィールドとして用いられる
＜１２＞に記載のデータ処理装置。
＜１４＞
前記入力ストリームは、TS(Transport Stream)，GCS(Generic Continuous Stream)，GSE(Generic Stream Encapsulation)パケットのストリーム、GSE-Liteパケットのストリーム、又は、IP(Internet Protocol)パケットのストリームである
＜１０＞ないし＜１３＞のいずれかに記載のデータ処理装置。
＜１５＞
複数のパケットで構成される入力ストリームを分割し、FEC(Forward Error Correction)の対象となるBBF(Base Band Frame)のデータフィールドに前記入力ストリームの前記パケットが連続する順番で配置されたBBFを最小単位とする複数チャネルの分割ストリームを生成する送信装置から送信されてくる前記複数チャネルの分割ストリームから、前記入力ストリームを再構成する
ステップを含むデータ処理方法。
【符号の説明】
【０２２６】
１０  送信装置，  １１  CB分割部，  ２０  受信装置，  ２１  CB再構成部，  ３０  伝送路，  ４１  スプリッタ，  ４２１ないし４２Ｎ  バッファ，  ４３１ないし４３Ｎ  変調部，  ４６  シンボルクロック生成部，  ４７  時刻関連情報生成部，  ５１  同期部，  ５２  削除部，  ５３  BBF生成部，  ５４  FEC/MOD部，  ６１  同期部，  ６２  削除部，  ６３  BBF生成部，  ６４  スプリッタ，  ７１１ないし７１Ｎ  復調部，  ７２  マージャ，  ８１  DMD/FEC部，  ２０１  バス，  ２０２  CPU，  ２０３  ROM，  ２０４  RAM，  ２０５  ハードディスク，  ２０６  出力部，  ２０７  入力部，  ２０８  通信部，  ２０９  ドライブ，  ２１０  入出力インタフェース，  ２１１  リムーバブル記録媒体
【図１】
0006504406.tif 000002
【図２】
0006504406.tif 000003
【図３】
0006504406.tif 000004
【図４】
0006504406.tif 000005
【図５】
0006504406.tif 000006
【図６】
0006504406.tif 000007
【図７】
0006504406.tif 000008
【図８】
0006504406.tif 000009
【図９】
0006504406.tif 000010
【図１０】
0006504406.tif 000011
【図１１】
0006504406.tif 000012
【図１２】
0006504406.tif 000013
【図１３】
0006504406.tif 000014
【図１４】
0006504406.tif 000015
【図１５】
0006504406.tif 000016
【図１６】
0006504406.tif 000017
【図１７】
0006504406.tif 000018
【図１８】
0006504406.tif 000019
【図１９】
0006504406.tif 000020